【手続補正書】
【提出日】平成30年8月24日(2018.8.24)
【手続補正１】
【補正対象書類名】特許請求の範囲
【補正対象項目名】全文
【補正方法】変更
【補正の内容】
【特許請求の範囲】
【請求項１】
第１の色光を含む励起光を射出する励起光源と、
回転軸を中心に回転可能であって、入射した前記励起光が透過する基板と、前記基板の回転円周方向に沿って連続して形成され、単一の発光特性を有し、前記励起光が入射されることにより前記励起光の少なくとも一部を前記第１の色光とは異なる第２の色光に変換する蛍光体と、前記蛍光体に対して前記励起光の入射側に形成され、所定角度以下の入射角の前記励起光が透過するとともに、前記第２の色光の入射角に関係なく前記第２の色光を反射する反射膜と、を有する蛍光部材と、
前記励起光源と前記蛍光部材との間の光路上に設けられ、前記励起光源から射出された前記励起光を集光し、前記蛍光体に前記励起光を照射する第１光学系と、
前記基板に固定された前記回転軸を駆動して前記基板を回転させることで前記蛍光部材を回転させる駆動部と、を備え、
前記蛍光部材は、前記駆動部が前記回転軸を駆動することにより、前記励起光が前記回転円周方向の一周に渡って前記蛍光体に照射される間、前記蛍光体を通過した前記第１の色光、及び、前記第２の色光を出射する
光源装置。
【請求項２】
前記第１光学系は、前記励起光の前記反射膜への入射角が前記所定角度以下になるように前記励起光を集光する
請求項１に記載の光源装置。
【請求項３】
前記所定角度が２０度である
請求項１又は２に記載の光源装置。
【請求項４】
前記第１光学系は、前記蛍光体上に照射される前記励起光のスポット径が所定のスポット径となるように前記励起光を集光し、
前記スポット径が、前記蛍光体の特性に基づいて決定される
請求項１〜３のいずれか１項に記載の光源装置。
【請求項５】
前記基板は、前記励起光の入射側に形成され、前記励起光の反射を防止する反射防止膜を有する
請求項１〜４のいずれか１項に記載の光源装置。
【請求項６】
さらに、前記蛍光体から出射される前記第１の色光及び前記第２の色光を平行光に変換する第２光学系を備える
請求項１〜５のいずれか１項に記載の光源装置。
【請求項７】
前記第２光学系と前記蛍光体との間の距離は、１ｍｍ以下である
請求項６に記載の光源装置。
【請求項８】
前記第１の色光は、青色光成分を含む第１の波長帯にピーク波長を有し、
前記第２の色光は、前記第１の波長帯とは異なる緑色光成分及び赤色光成分を含む第２の波長帯にピーク波長を有し、
前記蛍光体から前記第１の色光及び前記第２の色光からなる白色光が出射される
請求項１〜７のいずれか１項に記載の光源装置。
【請求項９】
前記第１の波長帯が４３０〜４８０ｎｍであり、前記第２の波長帯が４８０〜６８０ｎｍである
請求項８に記載の光源装置。
【請求項１０】
第１の色光を含む励起光を射出する励起光源と、
回転軸を中心に回転可能であって、入射した前記励起光が透過する基板と、前記基板の回転円周方向に沿って連続して形成され、単一の発光特性を有し、前記励起光が入射されることにより前記励起光の少なくとも一部を前記第１の色光とは異なる第２の色光に変換する蛍光体と、前記蛍光体に対して前記励起光の入射側に形成され、所定角度以下の入射角の前記励起光が透過するとともに、前記第２の色光の入射角に関係なく前記第２の色光を反射する反射膜と、を有する蛍光部材と、
前記励起光源と前記蛍光部材との間の光路上に設けられ、前記励起光源から射出された前記励起光を集光し、前記蛍光体に前記励起光を照射する第１光学系と、
前記基板に固定された前記回転軸を駆動して前記基板を回転させることで前記蛍光部材を回転させる駆動部と、を有する光源装置部と、
前記光源装置部から射出された光を３つの光変調素子を用いて変調し、所定の画像光を生成し、該生成した画像光を外部に投影する画像投影部と、を備え、
前記蛍光部材は、前記駆動部が前記回転軸を駆動することにより、前記励起光が前記回転円周方向の一周に渡って前記蛍光体に照射される間、前記蛍光体を通過した前記第１の色光、及び、前記第２の色光を出射する
画像投影装置。
【請求項１１】
前記第１の色光は、青色光成分を含む第１の波長帯にピーク波長を有し、
前記第２の色光は、前記第１の波長帯とは異なる赤色光成分及び緑色光成分を含む第２の波長帯にピーク波長を有し、
前記３つの光変調素子は、前記青色光成分を有する光を変調する第１の光変調素子と、前記赤色光成分を有する光を変調する第２の光変調素子と、前記緑色光成分を有する光を変調する第３の光変調素子と、で構成される
請求項１０に記載の画像投影装置。
【手続補正２】
【補正対象書類名】明細書
【補正対象項目名】００１０
【補正方法】変更
【補正の内容】
【００１０】
上記課題を解決するために、本発明の光源装置は、励起光源と、蛍光部材と、駆動部と、を備える構成とし、各部の機能を次のようにする。
励起光源は第１の色光を含む励起光を射出する。蛍光部材は、回転軸を中心に回転可能であって、入射した励起光が透過する基板と、基板の回転円周方向に沿って連続して形成され、単一の発光特性を有し、励起光が入射されることにより励起光の少なくとも一部を第１の色光とは異なる第２の色光に変換する蛍光体と、蛍光体に対して励起光の入射側に形成され、所定角度以下の入射角の励起光が透過するとともに、第２の色光の入射角に関係なく第２の色光を反射する反射膜と、を有する蛍光部材と、励起光源と蛍光部材との間の光路上に設けられ、励起光源から射出された励起光を集光し、蛍光体に励起光を照射する第１光学系と、基板に固定された回転軸を駆動して基板を回転させることで蛍光部材を回転させる駆動部と、備える。蛍光部材は、駆動部が回転軸を駆動することにより、励起光が回転円周方向の一周に渡って蛍光体に照射される間、蛍光体を通過した第１の色光、及び、第２の色光を出射する。なお、ここでいう「波長」は、単一波長だけでなく所定の波長帯域も含む意味である。
【手続補正３】
【補正対象書類名】明細書
【補正対象項目名】００１２
【補正方法】変更
【補正の内容】
【００１２】
本発明では、円周方向に沿って連続して形成される蛍光体は、第１の色光である励起光が照射されることにより、第１の色光とは異なる第２の色光を発光するとともに、励起光の一部を透過させて、該透過した第１の色光と、蛍光体で発光した第２の色光とを射出する。すなわち、本発明では、蛍光体から、励起光及び発光光とは異なる波長帯域の光が射出される。それゆえ、本発明では、例えば、励起光を第１の色光とし、発光光を第２の色光とした光を蛍光体から射出することができる。
【手続補正４】
【補正対象書類名】明細書
【補正対象項目名】００１３
【補正方法】変更
【補正の内容】
【００１３】
上述のように、本発明では、第１の色光と、第１の色光とは異なる第２の色光とを蛍光体から射出することができる。また、駆動部が、蛍光部材を、蛍光体の励起光の照射面内の所定方向に回転させている状態で、励起光源が、励起光を蛍光体に照射するため、励起光の照射位置には、励起されていない蛍光体原子が次々と配置されることになり、蛍光体をより効率よく発光させることができる。また、蛍光体に照射される励起光の照射位置が変わるので、蛍光体の温度上昇を防止しつつ、時間的に同一なスペクトルの白色光を安定的に生成できる。そして、本発明によれば、例えば３ＬＣＤ方式のプロジェクタ等の様々な用途に対しても適用可能な水銀レスの光源装置及びそれを備える画像投影装置を提供することができる。